(57)【特許請求の範囲】
【請求項１】
一側縁に折曲部が形成され且つ周縁に薄肉部が形成されたグロメットシール部と、このグロメットシール部の表面側に突設された略筒状のグロメット本体と、前記折曲部から前記グロメットシール部の裏面側に突設されたワイヤハーネス導出部とを備えたグロメットを、上面側が開口された箱本体内に収納する梱包箱において、
前記箱本体内に、該箱本体の側壁部の内面に沿って挟持枠が配置され、前記側壁部と該挟持枠との間に前記折曲部が挿入されることを特徴とするグロメットの梱包箱。
【請求項２】
請求項１記載のグロメットの梱包箱であって、
前記挟持枠の上部に、所定間隔を介して前記ワイヤハーネス導出部を配置する導出部用凹部が形成されていることを特徴とするグロメットの梱包箱。
【請求項３】
請求項２記載のグロメットの梱包箱であって、
前記挟持枠の上部における前記導出部用凹部の両側の前記グロメットシール部の前記薄肉部と対応する位置に、薄肉部保護用凹部が形成されていることを特徴とするグロメットの梱包箱。
【請求項４】
請求項１ないし請求項３のいずれかに記載のグロメットの梱包箱であって、
前記ワイヤハーネス導出部からワイヤハーネスが導出されており、このワイヤハーネスは前記挟持枠の内側に配置されることを特徴とするグロメットの梱包箱。
【発明の詳細な説明】
【０００１】
【発明の属する技術分野】
本発明はグロメットの梱包箱に関し、例えば車両用ドアハーネス等のワイヤハーネスの配索に用いられるグロメットを収納する梱包箱に関する。
【０００２】
【従来の技術】
従来、この種のグロメットの梱包箱として、図５に示すようなものがある。同図に示すように、この梱包箱１の合成樹脂製の箱本体２は上面側が開口されていて、矩形状の底壁部２Ａとこの底壁部２Ａの四辺から立ち上がる側壁部３Ａ，３Ａ，３Ｂ，３Ｂとから成る。このような構造の梱包箱１の箱本体２内には、図５に示すように、複数のグロメット４が同じ方向を向くように配置されて収納されるようになっている。
【０００３】
図６（Ａ）及び図７（Ａ），（Ｂ）に示すように、グロメット４は、ゴム等の弾性材料より成る面積の比較的広い略平板状のグロメットシール部５と、このグロメットシール部５の表面の略中央部に突設されたゴム等の弾性材料より成る略筒状のグロメット本体６と、上記グロメットシール部５の裏面の側縁部に突設されて例えばドアハーネス等のワイヤハーネスＷを導出させるワイヤハーネス導出部７とを備えている。
【０００４】
さらに、図７（Ａ），（Ｂ）に示すように、グロメットシール部５の裏面側には金属板または合成樹脂板のインナー８が一体的に突出形成されている。これらグロメットシール部５とインナー８とに合成樹脂製で略Ｌ字形状のプロテクタ９を装着することにより、上記ワイヤハーネス導出部７が形成されるようになっている。
【０００５】
尚、グロメット本体６は略円錐筒状の頭部６Ａと中央が蛇腹状の円筒部６Ｂとを備えていて、該円筒部６Ｂの基端６Ｃにグロメットシール部５が一体的に取り付けられている。また、図７（Ｂ）に示すように、インナー８はグロメットシール部５の厚肉の折曲部５Ｂの略中央部より突出していて、これらグロメットシール部５とインナー８とで側面略Ｌ字状になっている。
【０００６】
【発明が解決しようとする課題】
しかしながら、前記従来の梱包箱１では、収納するグロメット４をそれぞれ保持する機能がなく、搬送の際の揺れに伴ってグロメットシール部５の周縁の薄肉な周縁リップ部（薄肉部）５Ａどうしが触れ合ったり、該周縁リップ部５Ａが底壁部２Ａや側壁部３Ａ，３Ｂ等と擦れることにより、図６（Ｂ）に示すような断面形状であった周縁リップ部５Ａが図６（Ｃ）に示すような断面形状の周縁リップ部５Ａ′に変形したり、損傷してしまうという問題点があった。
【０００７】
また、図５に示すように、通常、グロメット４にワイヤハーネスＷが取り付けられた状態で梱包箱１の箱本体２内に収納されているが、この場合には搬送の際の揺れに伴ってワイヤハーネスＷどうしが絡まるという問題点があった。
【０００８】
そこで、本発明の目的は、グロメットシール部の周縁の薄肉部を保護することができると共に、ワイヤハーネスどうしが絡まるのを抑制し、しかも効率よくグロメットを収納することができるグロメットの梱包箱を提供することにある。
【０００９】
【課題を解決するための手段】
請求項１記載の発明は、一側縁に折曲部が形成され且つ周縁に薄肉部が形成されたグロメットシール部と、このグロメットシール部の表面側に突設された略筒状のグロメット本体と、前記折曲部から前記グロメットシール部の裏面側に突設されたワイヤハーネス導出部とを備えたグロメットを、上面側が開口された箱本体内に収納する梱包箱において、前記箱本体内に、該箱本体の側壁部の内面に沿って挟持枠が配置され、前記側壁部と該挟持枠との間に前記折曲部が挿入されることを特徴とする。
【００１０】
したがって、請求項１記載の発明では、箱本体の側壁部の内面と挟持枠との間にグロメットの折曲部を挿入することにより、該折曲部が挟持されてグロメットが箱本体内に保持される。このように、箱本体の側壁部の近傍でグロメットを保持することにより、グロメットの収納効率が向上する。
【００１１】
また、請求項２記載の発明は、請求項１記載のグロメットの梱包箱であって、前記挟持枠の上部に、所定間隔を介して前記ワイヤハーネス導出部を配置する導出部用凹部が形成されていることを特徴とする。
【００１２】
請求項２記載の発明では、請求項１記載の発明の作用に加えて、挟持枠の上部の導出部用凹部内にワイヤハーネス導出部が配置される。これにより、ワイヤハーネス導出部が挟持枠と箱本体の側壁部との間に挟持されないため、グロメットが不要な応力を受けることがない。
【００１３】
さらに、請求項３記載の発明は、請求項２記載のグロメットの梱包箱であって、前記挟持枠の上部における前記導出部用凹部の両側の前記グロメットシール部の薄肉部と対応する位置に、薄肉部保護用凹部が形成されていることを特徴としている。
【００１４】
このような構成の請求項３記載の発明では、挟持枠の上部に薄肉部保護用凹部が形成されているため、グロメットシール部の周縁の薄肉部が挟持枠と擦れるのが防止され、該薄肉部の変形や損傷が防止される。
【００１５】
また、請求項４記載の発明は、請求項１ないし請求項３のいずれかに記載のグロメットの梱包箱であって、前記ワイヤハーネス導出部からワイヤハーネスが導出されており、このワイヤハーネスは前記挟持枠の内側に配置されることを特徴とする。
【００１６】
したがって、請求項４記載の発明では、グロメットが箱本体の側壁部と挟持枠との間に挿入されることにより保持されるため、グロメットの配置位置が固定される。これにより、例えば梱包箱の搬送の際に振動を受けても、挟持枠に沿って配置された各グロメットのワイヤハーネス導出部から導出されたワイヤハーネスどうしが絡むことがなく、ワイヤハーネス付きグロメットの収納や取り出しが円滑に行われる。
【００１７】
【発明の実施の形態】
以下、本発明の一実施形態のグロメットの梱包箱を図面に基づいて説明する。尚、この梱包箱に収納するグロメットは、前述した図６，図７に示したものと同一構造であるため、同一符号を付してその詳細な説明は省略する。
【００１８】
図１は本発明の一実施形態のグロメットの梱包箱を示す平面図、図２は同梱包箱を示す部分破断斜視図、図３（Ａ）は同梱包箱に用いる挟持枠の挟持板の側面図、図３（Ｂ）は同挟持枠の組み付けを示す説明図、図４は同梱包箱の要部の縦断面図である。
【００１９】
図１に示すように、梱包箱１０は、上面側が開口された合成樹脂製の箱本体１１と、この箱本体１１内に収納されて配置される合成樹脂製の挟持枠１２とから構成されている。箱本体１１は、矩形の底壁部１３と、この底壁部１３の四辺から立ち上がる側壁部１４Ａ，１４Ａ，１４Ｂ，１４Ｂとで上面側が開口した有底の箱形になっている。
【００２０】
図１，図２に示すように、挟持枠１２は、側壁部１４Ａより所定寸法短い一対の連結板１５Ａ，１５Ａと、側壁部１４Ｂよりわずかに短い一対の挟持板１５Ｂ，１５Ｂとからなり、上下面側がそれぞれ開口された四角筒状をしている。尚、図２に示すように、箱本体１１の深さ寸法と挟持枠１２の高さ寸法とは略同寸法に設定されている。このような挟持枠１２を箱本体１１内に収納し、かつグロメット４を挟持して収納したときには、図１に示すように、側壁部１４Ｂと挟持板１５Ｂとの距離が共にグロメット４のグロメットシール部５の厚肉な折曲部５Ｂの厚さ寸法ｔと略同一寸法となるように設定されている。尚、図３（Ａ），（Ｂ）に示すように、挟持枠１２は、連結板１５Ａの両側の下部から中央部にかけてそれぞれ形成されたスリット１５ａ，１５ａと挟持板１５Ｂの両側の上部から中央部にかけてそれぞれ形成されたスリット１５ｂ，１５ｂとをそれぞれ嵌め合わせることにより平面口状に組み付けられて、箱本体１１の各側壁部１４Ａ，１４Ｂの内面より所定クリアランス隔てて収納されるようになっている。
【００２１】
また、各挟持板１５Ｂの上部には、図２及び図３に示すように、上縁に沿って所定間隔毎に複数（本実施形態では４つ）の導出部用切欠き（導出部用凹部）１６が形成されている。この導出部用切欠き１６は、グロメット４のワイヤハーネス導出部７の配置空間を形成すると共に、ワイヤハーネスＷを挟持枠１２内に導入することを可能にしている。さらに、各挟持板１５Ｂの上部の導出部用切欠き１６の両側には、グロメットシール部５の周縁の薄肉な周縁リップ部（薄肉部）５Ａが挟持板１５Ｂに触れないように一対のリップ部保護用切欠き（薄肉部保護用凹部）１７，１７がそれぞれ形成されている。
【００２２】
本実施形態では、箱本体１１内に挟持枠１２を収納するだけでよく、一対の挟持板１５Ｂ，１５Ｂの外面とそれぞれに対向する側壁部１４Ｂ，１４Ｂの内面との間にグロメット４のグロメットシール部５の厚肉な折曲部５Ｂを挿入することにより、挟持枠１２は箱本体１１内に保持されるようになっている。このため、別途、挟持枠１２を箱本体１１内に保持させる手段を用いる必要はない。
【００２３】
このような構成の梱包箱１０では、図４に示すように、挟持枠１２の挟持板１５Ｂと箱本体１１の側壁部１４Ｂとの間に、グロメット４のグロメットシール部５の折曲部５Ｂを挿入することにより、該折曲部５Ｂが挟持される。
【００２４】
また、グロメット４が梱包箱１０に収納された状態では、図４に示すように、グロメット４のワイヤハーネス導出部７が挟持板１５Ｂに形成された導出用切欠き１６内に配置されると共に、ワイヤハーネス導出部７の端部から導出されたワイヤハーネスＷが上記導出部用切欠き１６を通って挟持枠１２内に配置された状態となる。
【００２５】
また、図１，図２に示すように、挟持枠１２内に配置されて収納されるワイヤハーネスＷが巻いた状態で収納されることにより、他のグロメット４のワイヤハーネスＷと絡まるのを防止することができる。
【００２６】
さらに、互いに隣接して配置されるグロメット４，４どうしは、導出部用切欠き１６を介して所定の間隔毎に配置されるため、グロメットシール部５の周縁の薄肉な周縁リップ部５Ａどうしが擦れることがなく、該周縁リップ部５Ａの変形や損傷を確実に防止することができる。しかも、挟持板１５Ｂの上に位置する周縁リップ部５Ａはリップ部保護用切欠き１７の上に位置するため、周縁リップ部５Ａと挟持板１５Ｂとは接触することがないため、周縁リップ部５Ａが挟持板１５Ｂに擦れることがなく、周縁リップ部５Ａに変形や損傷が発生するのを確実に防止することができる。
【００２７】
また、このような構成の梱包箱１０にグロメット４を保持して収納するには、ワイヤハーネスＷを巻いた状態でワイヤハーネス導出部７を導出部用切欠き１６内に入るように挿入し、グロメットシール部５の折曲部５Ｂを側壁部１４Ｂと挟持板１５Ｂとの間に挿入すればよく、簡単な操作でグロメット４の収納及び保持を行うことができる。
【００２８】
このように、本実施形態では、箱本体１１の側壁部１４Ａ，１４Ａ，１４Ｂ，１４Ｂの内面に沿って、挟持枠１２の連結板１５Ａ，１５Ａ及び挟持板１５Ｂ，１５Ｂが配置されることにより、挟持枠１２の内側をワイヤハーネスＷの配置空間として用いることができ、効率の良い収納を行うことができる。また、グロメット４を保持する部分のスペースを極めて小さくできるため、無駄な空間を省略することができる。
【００２９】
以上、実施形態について説明したが、本発明はこれらに限定されるものではなく、構成の要旨に付随する各種の設計変更が可能である。前記実施形態では、例えば、挟持板１５Ｂ，１５Ｂを連結板１５Ａ，１５Ａで連結して挟持枠１２を構成したが、挟持板のみからなる挟持枠を箱本体内に配置するようにしても良い。
【００３０】
【発明の効果】
以上の説明から明らかなように、請求項１記載の発明によれば、箱本体の側壁部の近傍でグロメットを保持することができると共に、箱本体の側壁部に沿ってグロメットを配置することができるため、グロメットの収納効率を向上させることができる。
【００３１】
請求項２記載の発明によれば、請求項１記載の発明の効果に加えて、挟持枠の上部に形成された導出部用凹部内にワイヤハーネス導出部を配置することができるため、ワイヤハーネス導出部は挟持枠と箱本体の側壁部との間に挟持されずに不要な応力を受けることがなく、ワイヤハーネス導出部の変形等を防止することができる。
【００３２】
請求項３記載の発明によれば、請求項２記載の発明の効果に加えて、挟持枠の上部に薄肉部保護用凹部が形成されているため、グロメットシール部の周縁の薄肉部が挟持枠と擦れるのを防止することができ、該薄肉部の変形や損傷を確実に防止することができる。
【００３３】
請求項４記載の発明によれば、請求項１〜請求項３に記載の発明の効果に加えて、例えば梱包箱を搬送する際に振動しても、グロメットの配置位置を固定することができるため、挟持枠に沿って配置された各グロメットのワイヤハーネス導出部から導出されたワイヤハーネスどうしが絡むことを確実に抑制することができる。
【図面の簡単な説明】
【図１】本発明の一実施形態のグロメットの梱包箱を示す平面図である。
【図２】上記梱包箱を示す部分破断斜視図である。
【図３】（Ａ）は上記梱包箱に用いる挟持枠の挟持板の側面図、（Ｂ）は同挟持枠の組み付けを示す説明図である。
【図４】上記梱包箱の要部の縦断面図である。
【図５】従来のグロメットの梱包箱を示す平面図である。
【図６】（Ａ）はグロメットの斜視図、（Ｂ）はグロメットシール部の周縁リップ部の通常状態を示す要部の断面図、（Ｃ）は同周縁リップ部が変形した状態を示す要部の断面図である。
【図７】（Ａ）はグロメットの分解斜視図、（Ｂ）は同グロメットの側面図である。
【符号の説明】
４  グロメット
５  グロメットシール部
５Ａ  周縁リップ部（薄肉部）
５Ｂ  折曲部
６  グロメット本体
７  ワイヤハーネス導出部
１０  梱包箱
１１  箱本体
１２  挟持枠
１４Ａ，１４Ｂ  側壁部
１６  導出部用切欠き（導出部用凹部）
１７  リップ部保護用切欠き（薄肉部保護用凹部）
Ｗ  ワイヤハーネス
【図１】
0003593475.tif 000002
【図２】
0003593475.tif 000003
【図３】
0003593475.tif 000004
【図４】
0003593475.tif 000005
【図５】
0003593475.tif 000006
【図６】
0003593475.tif 000007
【図７】
0003593475.tif 000008